【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
窒素含有化合物の存在下に、粗ポリアルキレンエーテルグリコールのアセタール価を低減する精製工程を含むポリアルキレングリコール組成物の製造方法であって、
該精製工程における窒素含有化合物量が、ポリアルキレンエーテルグリコールに対し、窒素原子換算濃度で０．１質量ｐｐｍ以上４０質量ｐｐｍ以下であるポリアルキレンエーテルグリコール組成物の製造方法。
【請求項２】
前記精製工程が、固体触媒存在下に行われる請求項１に記載のポリアルキレンエーテルグリコール組成物の製造方法。
【請求項３】
前記窒素含有化合物がアミン及びアミドの少なくとも一つである請求項１又は２に記載のポリアルキレンエーテルグリコール組成物の製造方法。
【請求項４】
前記窒素含有化合物の大気圧下での沸点が−４０℃以上１２０℃以下である請求項１乃至３のいずれか１項に記載のポリアルキレンエーテルグリコール組成物の製造方法。
【請求項５】
前記窒素含有化合物が窒素原子を２個以上含むアミンである請求項１乃至４のいずれか１項に記載のポリアルキレンエーテルグリコール組成物の製造方法。
【請求項６】
前記窒素含有化合物が陰イオン交換樹脂溶出物である請求項１乃至５のいずれか１項に記載のポリアルキレンエーテルグリコール組成物の製造方法。
【請求項７】
前記窒素含有化合物の分子量が１７以上５００以下である請求項１乃至６のいずれか１項に記載のポリアルキレンエーテルグリコール組成物の製造方法。
【請求項８】
前記ポリアルキレンエーテルグリコール組成物のアセタール価が０．０１ｍｇ−ＫＯＨ／ｇ以上３．０ｍｇ−ＫＯＨ／ｇ以下である請求項１乃至７のいずれか１項に記載のポリアルキレンエーテルグリコール組成物の製造方法。
【請求項９】
前記ポリアルキレンエーテルグリコール組成物中の過酸化物濃度がポリアルキレンエーテルグリコールに対して０．０１μｇ−Ｈ２Ｏ２／ｇ以上３．０μｇ−Ｈ２Ｏ２／ｇ以下である請求項１乃至８のいずれか１項に記載のポリアルキレンエーテルグリコール組成物の製造方法。
【請求項１０】
前記ポリアルキレンエーテルグリコール組成物中の酸化防止剤濃度がポリアルキレンエーテルグリコールに対して１０質量ｐｐｍ以上１０００質量ｐｐｍ以下である請求項１乃至９のいずれか１項に記載のポリアルキレンエーテルグリコール組成物の製造方法。
【請求項１１】
前記ポリアルキレンエーテルグリコール組成物中のテトラヒドロフラン濃度がポリアルキレンエーテルグリコールに対して５質量ｐｐｍ以上２００質量ｐｐｍ以下である請求項１乃至１０のいずれか１項に記載のポリアルキレンエーテルグリコール組成物の製造方法。
【請求項１２】
前記粗ポリアルキレンエーテルグリコールがフルフラールから製造したＴＨＦを重合して得られたものである請求項１乃至１１のいずれか１項に記載のポリアルキレンエーテルグリコール組成物の製造方法。
【請求項１３】
窒素含有化合物を含有するポリアルキレンエーテルグリコール組成物であって、
窒素含有化合物の含有量が、ポリアルキレンエーテルグリコールに対する窒素原子換算濃度として０．１質量ｐｐｍ以上４０質量ｐｐｍ以下であるポリアルキレンエーテルグリコール組成物。
【請求項１４】
請求項１３に記載のポリアルキレンエーテルグリコール組成物を用いた弾性伸縮性繊維。
【請求項１５】
請求項１３に記載のポリアルキレンエーテルグリコール組成物を用いたポリウレタン。
【請求項１６】
請求項１３に記載のポリアルキレンエーテルグリコール組成物を用いた合成皮革。
【請求項１７】
請求項１３に記載のポリアルキレンエーテルグリコール組成物を用いた熱可塑性エラストマー。
【手続補正２】
【補正対象書類名】明細書
【補正対象項目名】０００９
【補正方法】変更
【補正の内容】
【０００９】
［１］  窒素含有化合物の存在下に、粗ポリアルキレンエーテルグリコールのアセタール価を低減する精製工程を含むポリアルキレングリコール組成物の製造方法であって、該精製工程における窒素含有化合物量が、ポリアルキレンエーテルグリコールに対し、窒素原子換算濃度で０．１質量ｐｐｍ以上４０質量ｐｐｍ以下であるポリアルキレンエーテルグリコール組成物の製造方法。
［２］  前記精製工程が、固体触媒存在下に行われる［１］に記載のポリアルキレンエーテルグリコール組成物の製造方法。
［３］  前記窒素含有化合物がアミン及びアミドの少なくとも一つである［１］又は［２］に記載のポリアルキレンエーテルグリコール組成物の製造方法。
［４］  前記窒素含有化合物の大気圧下での沸点が−４０℃以上１２０℃以下である［１］乃至［３］のいずれかに記載のポリアルキレンエーテルグリコール組成物の製造方法。
［５］  前記窒素含有化合物が窒素原子を２個以上含むアミンである［１］乃至［４］のいずれかに記載のポリアルキレンエーテルグリコール組成物の製造方法。
［６］  前記窒素含有化合物が陰イオン交換樹脂溶出物である［１］乃至［５］のいずれかに記載のポリアルキレンエーテルグリコール組成物の製造方法。
［７］  前記窒素含有化合物の分子量が１７以上５００以下である［１］乃至［６］のいずれかに記載のポリアルキレンエーテルグリコール組成物の製造方法。
［８］  前記ポリアルキレンエーテルグリコール組成物のアセタール価が０．０１ｍｇ−ＫＯＨ／ｇ以上３．０ｍｇ−ＫＯＨ／ｇ以下である［１］乃至［７］のいずれかに記載のポリアルキレンエーテルグリコール組成物の製造方法。
［９］  前記ポリアルキレンエーテルグリコール組成物中の過酸化物濃度がポリアルキレンエーテルグリコールに対して０．０１μｇ−Ｈ２Ｏ２／ｇ以上３．０μｇ−Ｈ２Ｏ２／ｇ以下である［１］乃至［８］のいずれかに記載のポリアルキレンエーテルグリコール組成物の製造方法。
［１０］  前記ポリアルキレンエーテルグリコール組成物中の酸化防止剤濃度がポリアルキレンエーテルグリコールに対して１０質量ｐｐｍ以上１０００質量ｐｐｍ以下である［１］乃至［９］のいずれかに記載のポリアルキレンエーテルグリコール組成物の製造方法。
［１１］  前記ポリアルキレンエーテルグリコール組成物中のテトラヒドロフラン濃度がポリアルキレンエーテルグリコールに対して５質量ｐｐｍ以上２００質量ｐｐｍ以下である［１］乃至［１０］のいずれかに記載のポリアルキレンエーテルグリコール組成物の製造方法。
［１２］  前記粗ポリアルキレンエーテルグリコールがフルフラールから製造したＴＨＦを重合して得られたものである［１］乃至［１１］のいずれかに記載のポリアルキレンエーテルグリコール組成物の製造方法。
［１３］  窒素含有化合物を含有するポリアルキレンエーテルグリコール組成物であって、窒素含有化合物の含有量が、ポリアルキレンエーテルグリコールに対する窒素原子換算濃度として０．１質量ｐｐｍ以上４０質量ｐｐｍ以下であるポリアルキレンエーテルグリコール組成物。
［１４］  ［１３］に記載のポリアルキレンエーテルグリコール組成物を用いた弾性伸縮性繊維。
［１５］  ［１３］に記載のポリアルキレンエーテルグリコール組成物を用いたポリウレタン。
［１６］  ［１３］に記載のポリアルキレンエーテルグリコール組成物を用いた合成皮革。
［１７］  ［１３］に記載のポリアルキレンエーテルグリコール組成物を用いた熱可塑性エラストマー。